(57)【要約】【課題】より小型化が可能な採光型ＥＶＦを提供する【解決手段】反射型ＬＣＤ５と接眼レンズ７との間に、所定の光成分を透過し、それ以外の光成分を反射する偏光反射フィルム６を設置する。バックライトが存在しないため小型のＥＶＦを実現できる。また、反射型ＬＣＤ５と接眼レンズ７との間に、採光窓２が配置され、外光を採り入れることによって高輝度かつ低消費電力のＥＶＦとすることができる。この時採光窓２を大きく設計しても、接眼レンズ７の焦点距離Ａ以内であればＥＶＦを大型化する必要がない。【選択図】　図２
2004012723.tif 000002
【特許請求の範囲】
【請求項１】
反射型液晶表示装置と、
前記反射型液晶表示装置の全面に所定の焦点距離を隔てて配置され、前記反射型液晶表示装置の画像を拡大する接眼レンズと、
前記反射型液晶表示装置及び前記接眼レンズと、
前記反射型液晶表示装置と接眼レンズとの間に配置され、所定の光成分を透過し、それ以外の光成分を反射する偏光反射フィルムよりなる反射板と、を有することを特徴とする画像表示装置。
【請求項２】
反射型液晶表示装置と、
前記反射型液晶表示装置の全面に所定の焦点距離を隔てて配置され、前記反射型液晶表示装置の画像を拡大する接眼レンズと、
前記反射型液晶表示装置及び前記接眼レンズとを内蔵する筐体とを有し、
前記筐体は、前記反射型液晶表示装置と接眼レンズとの間に外光を採り入れる採光窓を有することを特徴とする画像表示装置。
【請求項３】
所定の光成分を透過し、それ以外の光成分を反射する偏光反射フィルムよりなる反射板を有し、
前記反射板は、前記筐体内の前記反射型液晶表示装置と接眼レンズとの間であって採光窓に対応する位置に配置されることを特徴とする請求項２に記載の画像表示装置。
【請求項４】
前記反射板は前記採光窓から採り入れられた外光のうち、第１の光成分を前記反射型液晶表示装置に反射し、
前記反射型液晶表示装置の全面に、前記第１の光成分を透過する偏光板が配置されることを特徴とする請求項１もしくは請求項２に記載の画像表示装置。
【請求項５】
前記筐体の内面は反射防止処理が成されていることを特徴とする請求項１もしくは請求項２に記載の画像表示装置。
【請求項６】
前記筐体には前記採光窓を閉じる可動の蓋が配置され、
前記蓋は内面に光源を有することを特徴とする請求項１もしくは請求項２に記載の画像表示装置。
【発明の詳細な説明】
【０００１】
【発明の属する技術分野】
本発明は、ビデオカメラやデジタルスチルカメラに代表される画像表示装置に関し、特に、内部に液晶表示装置（Ｌｉｑｕｉｄ　Ｃｒｙｓｔａｌ　Ｄｉｓｐｌａｙ；ＬＣＤ）のような表示装置を内蔵した電子ビューファインダ（Ｅｌｅｃｔｒｉｃａｌ　Ｖｉｅｗ　Ｆｉｎｄｅｒ；ＥＶＦ）に関する。
【０００２】
【従来の技術】
ビューファインダは、ビデオカメラやデジタルスチルカメラ等に搭載され、撮像中の画像を確認する装置であるが、従来より撮像レンズが取り込んだ光を分光して視認する光学タイプと、ＬＣＤのような表示装置を内蔵し、撮像中の画像を映像データとして用いて表示するＥＶＦがある。ＥＶＦは主にデジタルビデオカメラやデジタルスチルカメラ等に搭載される。
【０００３】
ＥＶＦを搭載したデジタルビデオカメラ１００を図５に示す。本体１０１に撮像部１０２、ＥＶＦ１０３、ＬＣＤパネル１０４が配置されている。撮像部１０２により取り込まれた被写体の画像は、デジタルデータに変換されて、ビデオカメラ１００内の図示しない記録媒体に記録されると共に、ＥＶＦ１０３のファインダ１０５とＬＣＤパネル１０４に映し出される。ＥＶＦは、撮像中の画像を分光する必要がないので、光学系を簡略化することができ、また、分光によって撮像光を減少させないので、より高コントラストな撮影が可能である。
【０００４】
図６はＥＶＦ１０３の断面図である。筐体１１０の内部にＬＣＤ１１１、バックライト１１２、接眼レンズ１１３が収納されている。ＬＣＤ１１１は例えば対角０．１９インチ型のような１インチ型以下であり、裏面に配置されたバックライト１１２の光の透過を制御することで表示を行う。ＬＣＤ１１１の表示を接眼レンズ１１３によって拡大して視認する。バックライト１１２は光源１１２ａが発する光を導光板１１２ｂが平面光に変換してＬＣＤ１１１に均質な光を供給する。バックライト１１２の光が直接視認されないように、ＬＣＤ１１１の周囲は隔壁１１４で遮光されている。
【０００５】
デジタルビデオカメラやデジタルスチルカメラは、内蔵する電池によって駆動することが多く、ＥＶＦ１０３の消費電力をできるだけ削減する要求がある。そこで、屋外などの明るい環境では、バックライトの光源１１２ａを消灯し、窓１１５をあけて外光を採り入れ、外光によってＬＣＤ１１１を視認する採光型表示装置が、例えば特開平１１−３０５２３０号公報等に開示されている。
【０００６】
【発明が解決しようとする課題】
デジタルビデオカメラやデジタルスチルカメラの小型化がますます進み、ＥＶＦ１０３の小型化も強く要望されている。しかし、ＥＶＦは接眼レンズ１１３によって拡大して視認するため、接眼レンズ１１３の焦点距離を確保する必要がある。また、ＬＣＤ１１１は、背面にバックライト１１２を必要とする。これらのため、ＥＶＦ１０３の小型化は困難であった。
【０００７】
特に、採光窓１１５によって外光を採り入れる場合、採光窓１１５の大きさによって取り込める外光の量が決定されるため、バックライトの採光窓１１５近傍部分１１３ｃは一定の幅が必要となり、採光式のＥＶＦ１０３の小型化はさらに困難であった。
【０００８】
そこで、本発明は、より小型化が可能で低消費電力な採光型ＥＶＦを提供することを目的とする。
【０００９】
【課題を解決するための手段】
本発明は、上記課題を解決するためになされ、反射型ＬＣＤと、反射型ＬＣＤの全面に所定の焦点距離を隔てて配置され、反射型ＬＣＤの画像を拡大する接眼レンズと、反射型ＬＣＤ及び接眼レンズと、反射型ＬＣＤと接眼レンズとの間に配置され、所定の光成分を透過し、それ以外の光成分を反射する偏光反射フィルムよりなる反射板と、を有する画像表示装置である。
【００１０】
また、反射型ＬＣＤと、その全面に所定の焦点距離を隔てて配置され、反射型ＬＣＤの画像を拡大する接眼レンズと、反射型ＬＣＤ及び接眼レンズとを内蔵する筐体とを有し、筐体の反射型ＬＣＤと接眼レンズとの間に外光を採り入れる採光窓を有する画像表示装置である。
【００１１】
さらに、所定の光成分を透過し、それ以外の光成分を反射する偏光反射フィルムよりなる反射板を有し、反射板は、筐体内の反射型ＬＣＤと接眼レンズとの間であって採光窓に対応する位置に配置される。
【００１２】
さらに、反射板は採光窓から採り入れられた外光のうち、第１の光成分を反射型ＬＣＤに反射し、反射型ＬＣＤの全面に、第１の光成分を透過する偏光板が配置される。
【００１３】
さらに、筐体の内面は反射防止処理が成されている。
【００１４】
さらに、筐体には採光窓を閉じる可動の蓋が配置され、蓋は内面に光源を有する。
【００１５】
【発明の実施の形態】
図１は本発明の画像表示装置の一実施例として、ＥＶＦ１を搭載したデジタルビデオカメラ１００’を示す斜視図である。本体１０１に撮像部１０２、ＥＶＦ１、ＬＣＤパネル１０４が配置されている。ＥＶＦ１以外の構成は従来と同様であり、従来と同様の構成については同じ番号を付して説明を省略する。ＥＶＦ１には採光窓２があり、スライドカバー（可動の蓋）３によって採光窓２を開閉できるようになっている。これらの構造は筐体４に設置されている。
【００１６】
図２は本発明の実施形態にかかるＥＶＦ１の断面図である。筐体４の内部に反射型ＬＣＤ５、偏光反射フィルム６、接眼レンズ７が収納されている。ＬＣＤ５は反射型ＬＣＤであり、前面から照射される光の反射を制御することで表示を行う。偏光反射フィルム６は、採光窓２に対応して、その直下に４５゜傾けて設置される。偏光反射フィルム６は、光源からの光成分のうち、所定の光成分を透過し、それ以外の光成分を反射する。以下、偏光反射フィルム６が透過する偏光を透過偏光、反射する偏光を反射偏光という。偏光反射フィルムとしては、例えば住友３Ｍ社から販売されているＤＢＥＦ膜（Ｄｕａｌ　Ｂｒｉｇｈｔｎｅｓｓ　Ｅｎｈａｎｃｅｍｅｎｔ　Ｆｉｌｍ）を用いると好適である。ＤＢＥＦ膜は、本来バックライトの輝度を向上させるための膜であるが、変更分離の性質を反射板として応用できる。このような偏光反射フィルム６を用いることによって、採光窓２から取り込んだ外光のうち、所定の反射偏光のみを反射型ＬＣＤ５に反射させることができる。
【００１７】
反射変更が照射された反射型ＬＣＤ５は、表示内容によって、例えば黒表示を行う場合は反射偏光のまま偏光反射フィルム６に反射し、白表示を行う場合は透過偏光に更に偏光をかけて透過偏光にとして偏光反射フィルム６に反射する。これによって、黒表示として反射偏光のまま反射型ＬＣＤ５から偏光反射フィルム６に射出される光は偏光反射フィルム６によって再び反射され、採光窓２から外部に射出される。白表示として透過偏光として反射型ＬＣＤ５から偏光反射フィルム６に射出される光は偏光反射フィルム６を透過し、接眼レンズ７を通して視認される。反射型ＬＣＤ５は射出光の反射、透過偏光の割合を制御することによって階調のついた画像を表示する。接眼レンズ７は反射型ＬＣＤ５の前面に所定の焦点距離を隔てて配置され、反射型ＬＣＤの画像を拡大する。
【００１８】
筐体４には採光窓を閉じる可動の蓋であるスライドカバー３が設置されており、スライドカバー３の内面には光源９が設置されている。本実施形態のＥＶＦ１は、晴天の屋外のように外光量が多いときはスライドカバー３を開いて採光窓２を露出し、外光を取り込む。外光が多ければそれだけ明るい表示を行うことができる。また、スライドカバー３が開くのに連動して光源９は消灯され、消費電力を低減する。夜間のように外光が不足するときは図３に示すようにスライドカバー３を閉じ、光源９を点灯することで、良好に視認することができる。
【００１９】
筐体４には、採光窓２を開いたときに、外光が偏光反射フィルム６を介さずに直接ＬＣＤ５に照射されることを防止する遮光板４ａが設けられている。
【００２０】
本実施形態の特長について以下に述べる。まず第１に、ＬＣＤとして、反射型ＬＣＤ５を採用した点がある。反射型ＬＣＤは背面にバックライトを配置する必要がないので、その分だけＥＶＦを小型化できる。
【００２１】
第２に、偏光反射フィルム６を採用した点がある。単に反射型ＬＣＤを採用しただけでは、反射型ＬＣＤに光を当てる光源をＬＣＤと接眼レンズ７との間に配置しなければならない。しかし、そのような位置に光源を配置すれば、光源からの光が直接視認され、著しく表示品質を損ねてしまう。これに対し、本実施形態では、偏光反射フィルム６を配置しており、光源９の発光中心方向は接眼レンズ７の方向を向いていないので、光源９が直接視認されることがなく、高い表示品質を得ることができる。偏光反射フィルム６自身は、ＬＣＤ５と接眼レンズ７との間、接眼レンズ７の焦点距離Ａ内に配置されるので、ＥＶＦ１が大型化することはない。
【００２２】
第３に、外光を採り入れる採光窓２をＬＣＤ５と接眼レンズ７との間に配置している点にある。接眼レンズ７は、凸レンズであり、ＬＣＤ５を視認するためには一定の焦点距離Ａが必要である。一方で、本実施形態のＬＣＤ５は反射型であるので、採光窓２や光源はＬＣＤ５よりも手前側、即ちＬＣＤ５と接眼レンズ７との間に配置することができる。従って、従来のＥＶＦ１０３でＬＣＤ１１１の背面に配置していたバックライト１１２及び採光窓１１５のスペースを削減し、ＥＶＦ１をより小型にすることができる。しかも、従来の採光窓１１５よりも採光窓２を大きくとり、取り込める外光量を多くすることができ、従来よりも高輝度の表示を行うことができる。そして、採光窓２を大きくしても、焦点距離Ａの範囲内であればＥＶＦ１の外形サイズは大きくする必要がない。なお、採光窓２が反射型ＬＣＤ５よりも大きい場合、採光窓２の断面を凸レンズ形状として、反射型ＬＣＤ５の面積に集光すると光の利用効率を更に高めることができる。
【００２３】
第４に、光源９が採光窓２のと同じ位置に配置される点がある。これによって、偏光反射フィルム６、ＬＣＤ５、接眼レンズ７を通る光の経路が、採光時と光源使用時とで同じであるため、光路を別途設ける必要がなく、ＥＶＦ１を小型化することができる。
【００２４】
なお、ＬＣＤ５の全面に透過偏光を透過する偏光板８を配置しても良い。偏光反射フィルム６の偏光分離能力が１００％であれば配置する必要はないが、実際には一部透過偏光も反射されるため、更に偏光板８を配置することによって、わずかに反射された透過偏光を遮断し、よりコントラストを高めることができる。
【００２５】
さらに、外光もしくは光源９からの光でＬＣＤ５に反射されることなく偏光反射フィルム６を透過した光は、多くは再度変更反射フィルム６を再度透過して採光窓２から外部へ射出されるが、一部が筐体４の内面で乱反射し、視認される恐れがある。そこで、偏光反射フィルム６の採光窓２に対向する筐体４の内面は、透過光を全て採光窓２に向けて反射させる光学系とするか、または反射防止処理を施しておくと良い。ただし、採光窓２に向けて反射させる光学系では、表面反射時に偏光が変化すると偏光反射フィルム６によって反射される光が発生する恐れがあるので反射防止処理がより好適である。
【００２６】
また、図４に示すように、光源９をスライドカバー３ではなく筐体４の内面に設置しても良い。こうすることで、外光と光源９の光とを同時に利用でき、更に高輝度な表示を行うことができる。
【００２７】
【発明の効果】
以上に述べたように、本発明は、反射型ＬＣＤと、所定の光成分を透過しそれ以外の光成分を反射する偏光反射フィルムよりなる反射板とを有するので、ＬＣＤの裏面にバックライトを配置するのに比較して更に小型なＥＶＦとすることができる。
【００２８】
また、反射型ＬＣＤと接眼レンズとの間に外光を採り入れる採光窓を有するので、採光窓を十分大きくして表示輝度を高くしてもＥＶＦを大型化する必要がない。また、ＬＣＤの裏面に採光窓を設置するのに比較して、更に小型なＥＶＦとすることができる。
【００２９】
さらに、筐体の内面に反射防止処理を施すことによって、採り入れた外光や光源からの光で偏光反射フィルムを透過した光が筐体内で乱反射して視認されることがなく、よりコントラストの高い表示を行うことができる。
【００３０】
さらに、筐体には採光窓を閉じる可動の蓋が配置され、その内面に光源を有するので、外光の量に応じて採光窓を開閉し、最適な状態で映像を視認することができる。特に蓋を開くのに連動して光源が消灯するようにしておくことで、外光利用時の消費電力を低減することができる。
【図面の簡単な説明】
【図１】本発明のＥＶＦが搭載されたデジタルビデオカメラを示す斜視図である。
【図２】本発明のＥＶＦを示す断面図である。
【図３】本発明ＥＶＦのスライドカバー３が閉じた状態を示す断面図である。
【図４】本発明の別の実施形態を示す断面図である。
【図５】従来のデジタルビデオカメラを示す斜視図である。
【図６】従来のＥＶＦを示す断面図である。
【符号の説明】
１：ＥＶＦ（電子ビューファインダ）
２：採光窓
３：スライドカバー（可動の蓋）
４：筐体
５：反射型ＬＣＤ（液晶表示装置）
６：偏光反射フィルム
７：接眼レンズ
１００、１００’：デジタルビデオカメラ
【図１】
2004012723.tif 000003
【図２】
2004012723.tif 000004
【図３】
2004012723.tif 000005
【図４】
2004012723.tif 000006
【図５】
2004012723.tif 000007
【図６】
2004012723.tif 000008